(57)【要約】  家電機器は、交流電力によって動作する。家電機器は、また、直流電力によっても動作する。通信端末は、家電機器を含む電力管理システムの電力管理アプリケーションの実行によって、画面（５１０）を表示する。画面（５１０）のグラフ（５１１）は、１か月の各日における電力の消費量を示し、より具体的には、家電機器の、直流電源から供給される直流電力の消費量（ＤＣ）を、交流電源から供給される交流電力の消費量（ＡＣ）とともに示す。
2017038356.tif 000002
【特許請求の範囲】
【請求項１】
交流電力と直流電力とを、動力として利用して動作する負荷機器の消費電力に関する情報を取得し、
前記負荷機器の直流電力の消費電力量に関する表示情報を生成する、電力情報管理装置。
【請求項２】
前記表示情報は、前記負荷機器の直流電力の消費電力量に関する表示情報を含み、前記負荷機器の交流電力の消費の量に関する情報と、前記負荷機器の直流電力の消費の量に関する情報とを異なる態様で表示するための情報とを含む、請求項１に記載の電力情報管理装置。
【請求項３】
前記表示情報は、
第１の期間についての前記負荷機器の直流電力の消費電力量に関する第１の表示情報と、
当該第１の期間が第２の期間ごとに分割された場合の、各第２の期間についての前記負荷機器の直流電力の消費電力量に関する第２の表示情報とを含み、
第１の表示情報は、前記第１の期間毎の消費電力量を直流電力によるものと交流電力とによるものとの比率に応じて区別した表示情報であり、
第２の表示情報は、前記第２の期間ごとに、当該第２の期間の消費電力量において直流電力の消費量が一定の割合以上を占める場合には、当該第２の期間の消費電力量のすべてを直流電力の消費量とみなした表示情報である、請求項１または請求項２に記載の電力情報管理装置。
【請求項４】
前記負荷機器が動作をしていた時間を示す動作時間情報と、前記負荷機器が交流電力または直流電力のいずれかで動作していたかを時間とともに示す切替情報とを取得し、
前記動作時間情報のうち、前記切替情報において前記負荷機器が前記直流電力で動作していた時間についての電力の消費量を、前記負荷機器の直流電力の消費の量として特定する、請求項１〜請求項３のいずれか１項に記載の電力情報管理装置。
【請求項５】
直流電力源と、
交流電力と直流電力とを、動力として利用して動作する負荷機器と、
前記負荷機器の消費電力に関する情報を取得し、前記負荷機器の直流電力の消費電力量に関する表示情報を生成する、電力情報管理装置とを備える、電力情報管理システム。
【請求項６】
交流電力と直流電力とを、動力として利用して動作する負荷機器の消費電力に関する情報を取得するステップと、
前記負荷機器の直流電力の消費電力量に関する表示情報を生成するステップとを備える、電力情報管理方法。
【請求項７】
交流電力によって動作する負荷機器および直流電力によって動作する負荷機器を含む複数の負荷機器の消費電力に関する情報を取得し、
前記複数の負荷機器の交流電力の消費の量に関する情報と前記複数の負荷機器の直流電力の消費の量に関する情報とを、異なる態様で表示する、表示情報を生成する電力情報管理装置。
【発明の詳細な説明】
【技術分野】
【０００１】
本出願は、２０１５年８月３１日に出願された特願２０１５−１７０６６０号に対して、優先権の利益を主張するものであり、それを参照することにより、その内容のすべてを本書に含める。【０００２】
本開示は、電力情報の提供に関し、特に、交流電力と直流電力のいずれかによって動作する負荷機器が消費する電力情報の提供に関する。
【背景技術】
【０００３】
従来、省エネルギ対策として、家電や電気設備における電気やガスなどのエネルギの使用量を表示する、ＨＥＭＳ（Home  Energy  Management  System）について、種々の提案がなされている。たとえば、特開平１１−２４８７５２号公報（特許文献１）には、電力消費量の節減のために、消費者に対し、自己の毎日の電力消費量、節電目標値に対する現在の電力消費量の状態を、リアルタイムで表示する装置が提案されている。
【先行技術文献】
【特許文献】
【０００４】
【特許文献１】特開平１１−２４８７５２号公報
【特許文献２】特開２０１０−４１７８４号公報
【発明の概要】
【発明が解決しようとする課題】
【０００５】
従来の技術では、省エネルギが電力の消費量を抑えることによって達成されることしか、想定されていなかった。【０００６】
一方、近年、機器を、直流電力によって動作させることにより、省エネルギ化を図る技術が提案されるようになっている（特許文献２参照）。直流電力によって動作する機器に交流電力による給電を行う際には、交流−直流変換が行なわれることから、変換のために電力損失が生じる。したがって、交流−直流変換を行わずに、機器を直流電力によって動作させることは、消費電力を低減させる効果があると考えられている。しかしながら、従来の技術では、機器が直流電力によって動作することによる消費電力の低減の効果を報知する手段がなかった。【０００７】
本開示は、かかる実情に鑑み考え出されたものであり、その目的は、機器が直流電力によって動作することによる消費電力の低減の効果を報知することができる、電力情報管理装置、電力情報管理システム、および、電力情報管理方法を提供することである。
【課題を解決するための手段】
【０００８】
本開示のある局面に従うと、交流電力と直流電力とを、動力として利用して動作する負荷機器の消費電力に関する情報を取得し、負荷機器の直流電力の消費電力量に関する表示情報を生成する、電力情報管理装置が提供される。【０００９】
好ましくは、表示情報は、負荷機器の交流電力の消費電力量に関する表示情報を含み、負荷機器の交流電力の消費の量に関する情報と、負荷機器の直流電力の消費の量に関する情報とを異なる態様で表示するための情報とを含む。【００１０】
好ましくは、表示情報は、第１の期間についての負荷機器の直流電力の消費電力量に関する第１の表示情報と、当該第１の期間が第２の期間ごとに分割された場合の、各第２の期間についての負荷機器の直流電力の消費電力量に関する第２の表示情報とを含む。第１の表示情報は、第１の期間毎の消費電力量を直流電力によるものと交流電力とによるものとの比率に応じて区別した表示情報である。第２の表示情報は、第２の期間ごとに、当該第２の期間の消費電力量において直流電力の消費量が一定の割合以上を占める場合には、当該第２の期間の消費電力量のすべてを直流電力の消費量とみなした表示情報である。【００１１】
好ましくは、電力情報管理装置は、負荷機器が動作をしていた時間を示す動作時間情報と、負荷機器が交流電力または直流電力のいずれかで動作していたかを時間とともに示す切替情報とを取得する。また、電力情報管理装置は、動作時間情報のうち、切替情報において負荷機器が直流電力で動作していた時間についての電力の消費量を、負荷機器の直流電力の消費の量として特定する。【００１２】
本開示の他の局面に従うと、直流電力源と、交流電力と直流電力とを、動力として利用して動作する負荷機器と、負荷機器の消費電力に関する情報を取得し、負荷機器の直流電力の消費電力量に関する表示情報を生成する、電力情報管理装置とを備える、電力情報管理システムが提供される。【００１３】
本開示のさらに他の局面に従うと、交流電力と直流電力とを、動力として利用して動作する負荷機器の消費電力に関する情報を取得するステップと、負荷機器の直流電力の消費電力量に関する表示情報を生成するステップとを備える、電力情報管理方法が提供される。【００１４】
本開示のさらに他の局面に従うと、電力情報管理装置が提供される。電力情報管理装置は、交流電力によって動作する負荷機器および直流電力によって動作する負荷機器を含む複数の負荷機器の消費電力に関する情報を取得する。また、電力情報管理装置は、複数の負荷機器の交流電力の消費の量に関する情報と複数の負荷機器の直流電力の消費の量に関する情報とを、異なる態様で表示する、表示情報を生成する。
【発明の効果】
【００１５】
本開示によれば、機器が直流電力によって動作することによる直流電力の消費の量に関する情報が表示される。これにより、ユーザは、電力消費量の低減の効果を容易に理解できる。
【図面の簡単な説明】
【００１６】
【図１】第１の実施の形態に係る電力管理システムを示す図である。
【図２】通信端末における家電機器の電力の消費の表示の一例を示す図である。
【図３】ＨＥＭＳコントローラの構成を示すブロック図である。
【図４】ＨＥＭＳコントローラの記憶部に格納されている動作情報のデータ構造の一例を示す図である。
【図５】家電機器のそれぞれからＨＥＭＳコントローラへの動作実行のレコードの送信のシーケンスの一例を模式的に示す図である。
【図６】ＨＥＭＳコントローラの記憶部に格納されている切替情報のデータ構造の一例を示す図である。
【図７】ＨＥＭＳコントローラの切替指示送信部から家電機器のそれぞれへの電力供給元の指示の送信のシーケンスの一例を示す図である。
【図８】家電機器のハードウェア構成の一例を概略的に示す図である。
【図９】第１の実施の形態の通信端末の構成を示すブロック図である。
【図１０】通信端末において、家電機器における、直流電力の消費の量に関する情報を表示するために実行される処理のフローチャートである。
【図１１】電力管理用のアプリケーションによって表示される画面の一例を示す図である。
【図１２】電力管理用のアプリケーションによって表示される画面の他の例を示す図である。
【図１３】電力の消費の量に関する情報の表示画面の変形例を示す図である。
【図１４】第２の実施の形態における家電機器についての電力の消費量のついての表示の一例を示す図である。
【図１５】第３の実施の形態の電力管理システムにおける通信端末の構成を示すブロック図である。
【図１６】第３の実施の形態の通信端末における、家電機器の消費電力に関する情報の表示の一例を示す図である。
【図１７】第３の実施の形態の通信端末において実行される処理のフローチャートである。
【図１８】第５の実施の形態において通信端末で実行される処理のフローチャートである。
【図１９】第５の実施の形態のＨＥＭＳコントローラの構成を示すブロック図である。
【図２０】第５の実施の形態のＨＥＭＳコントローラの制御部が実行する処理のフローチャートである。
【図２１】電力消費情報の内容の一例を模式的に示す図である。
【図２２】第６の実施の形態のＨＥＭＳコントローラの構成を示す図である。
【図２３】第６の実施の形態の通信端末の構成を示すブロック図である。
【発明を実施するための形態】
【００１７】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１８】
［第１の実施の形態］
＜１．実施の形態の概要＞
図１は、第１の実施の形態に係る電力管理システム１を示す図である。図１の電力管理システム１は、ＨＥＭＳ（home  energy  management  system）コントローラ１０を含む。また、電力管理システム１は、電力情報管理装置の一例である通信端末１００を含む。図１において、家電機器１４〜１７は、交流電源１１からの交流電力によっても、直流電源１２，１３からの直流電力によっても、動作する。そして、家電機器１４〜１７は、状況に応じて、たとえばＨＥＭＳコントローラ１０から、いずれの電源からの電力によって動作するかを制御される。
【００１９】
通信端末１００は、その正面に、タッチパネル１４１と、ディスプレイ１４２とを備える。そして、通信端末１００は、ディスプレイ１４２において、家電機器１４〜１７の電力の消費に関する情報を表示する。図２は、通信端末１００における家電機器１４〜１７の電力の消費の表示の一例を示す図である。
【００２０】
図２に示されるように、通信端末１００が表示する画面５１０は、グラフ５１１を含む。グラフ５１１は、ある１か月（ある月の１日から３０日）における、家電機器１４〜１７の中の１台の機器の電力の消費量を示す。グラフ５１１の縦軸は、消費量（ｋＷｈ）を表わす。グラフ５１１は、複数本の棒を含む棒グラフであり、各棒が各日の電力の消費量を示す。
【００２１】
グラフ５１１では、交流電力の消費量と直流電力の消費量とが異なる態様で示されている。より具体的には、１日目から５日目の消費量を示す左端から５本の棒において、下部に交流電力の消費量が示され、上部に直流電力の消費量が示される。６日目以降に対応する棒（左端から６本目およびそれより右側に位置するもの）には、直流電力の消費量は含まれていない。
【００２２】
つまり、グラフ５１１では、各日の直流電力の消費量と交流電力の消費量とが、互いに異なる態様で示されている。
【００２３】
なお、図２に示されたような表示の対象となる期間は、変更可能である。画面５１０は、表示対象の期間の長さを変更するための入力部５１２と、表示対象となる期間を変更するための入力部５１３とを含む。
【００２４】
また、画面５１０は、「総使用量」として、表示対象の家電機器による、表示対象の期間における、電力の消費量（直流電力および交流電力）の結果（０．３ｋＷｈ）を含む。また、画面５１０は、「めやす金額」として、表示対象の家電機器の、直流電力の消費量が交流電力の消費量に置き換えられた場合に当該消費量について交流電源１１の供給元（電力会社）に支払うべき金額の概算額（２８３５円）を含む。
【００２５】
＜２．電力管理システムの構成＞
図１の電力管理システム１の構成を説明する。
【００２６】
図１に示されるように、電力管理システム１において、ＨＥＭＳコントローラ１０は、ブロードバンドルータ３００を介してネットワーク６００に接続することができる。ネットワーク６００は、インターネット等の公衆ネットワークであってもよいし、社内ネットワーク等のプライベートなネットワークであってもよい。ＨＥＭＳコントローラ１０は、ネットワーク６００を介して通信端末１００と通信可能である。
【００２７】
電力管理システム１は、電源として交流電源１１と直流電源１２，１３とを備える。直流電源１２は、たとえば太陽電池パネルである。直流電源１３は、たとえば蓄電池である。直流電源１３の蓄電池には、直流電源１２の太陽電池パネルが発電した電力の余剰分や、深夜等の電力価格が安い時間帯に交流電源１１から給電された電力が蓄えられ得る。
【００２８】
電力管理システム１において、負荷機器となるのは４台の家電機器１４〜１７である。家電機器１４〜１７としては、照明器具、テレビジョン受像器、空気調和機、洗濯機、冷蔵庫など、任意の家電機器をあてはめることができる。図１における家電機器の数「４台」は、単なる一例である。本実施の形態に係る発明が実施される場合、家電機器の数は４個より多くてもよいし、少なくてもよい。家電機器１４〜１７の各々は、基本的に直流電力で動作するが、ＡＣ（alternating  current）−ＤＣ（direct  current）コンバータ１８〜２１のそれぞれを内蔵することで交流電力でも動作可能となっている。
【００２９】
交流電源１１から家電機器１４〜１７に対し、太い点線で表現されている交流給電路２２を通じて、交流電力の給電（以下「交流給電」と称する）が行われる。交流給電路２２には家電機器１４〜１７の各々に１対１で対応するようにリレー２３〜２６が配置されている。ＨＥＭＳコントローラ１０は、リレー２３〜２６のそれぞれを開閉して家電機器１４〜１７の各々に対する交流給電を制御する。リレー２３〜２６が配置された、家電機器１４〜１７に対する個別の交流給電路２２には、電流センサ２７〜３０が配置されている。なおリレー２３〜２６は、ＨＥＭＳコントローラ１０からの通信で切り替えを行えるものでありさえすれば、他の種類の電気部品で置き換えてもよい。また、通信を行うためには、有線（電力線通信を含む）・無線のいずれを用いてもよい。同様に、電流センサは、ＨＥＭＳコントローラ１０へ信号伝達を行えるものであれば、いずれの通信手段を用いるものであってもよい。
【００３０】
直流電源１２が電力を出力する経路上には、ＤＣ−ＤＣ変圧器３１が接続されている。また、直流電源１３が電力を出力する経路上には、ＤＣ−ＤＣ変圧器３２が接続されている。ＤＣ−ＤＣ変圧器３１，３２から家電機器１４〜１７に対し、太い実線で表現した直流給電路３３を通じて直流電力の給電（以下「直流給電」と称する）が行われる。直流給電路３３には家電機器１４〜１７に１対１で対応するようにリレー３４〜３７が配置されている。ＨＥＭＳコントローラ１０は、リレー３４〜３７の各々を開閉して家電機器１４〜１７のそれぞれに対する直流給電を制御する。リレー３４〜３７の各々が配置された、家電機器１４〜１７のそれぞれに対する個別の直流給電路３３には、電流センサ３８〜４１が配置されている。ＤＣ−ＤＣ変圧器３１，３２のそれぞれが電力を出力する経路上にも、電流センサ４２，４３が配置されている。
【００３１】
交流給電路２２と直流給電路３３とは、系統連系インバータであるＡＣ−ＤＣ変換器４４を介して、相互に接続される。ＡＣ−ＤＣ変換器４４に対する交流給電路２２の接続部には電流センサ４５が配置され、ＡＣ−ＤＣ変換器４４に対する直流給電路３３の接続部には電流センサ４６が配置されている。交流給電路２２の中で交流電源１１の直近の箇所には電流センサ４７が配置されている。
【００３２】
図１では、ＨＥＭＳコントローラ１０からリレー２３〜２６への指令伝達系統、リレー３４〜３７への指令伝達系統、および、ＡＣ−ＤＣ変換器４４への指令伝達系統は、細い実線で表現されている。電流センサ２７〜３０、３８〜４１、４２、４３、４５、４６、４７からＨＥＭＳコントローラ１０への信号伝達系統は、細い一点鎖線で表現されている。
【００３３】
＜３．ＨＥＭＳコントローラの構成＞
図３は、ＨＥＭＳコントローラ１０の構成を示すブロック図である。
【００３４】
図３を参照して、ＨＥＭＳコントローラ１０は、アンテナ７０１と、無線通信部７０２と、操作受付部７０３と、記憶部７０４と、発光部７０５と、有線通信部７０６と、制御部７０７とを含む。
【００３５】
アンテナ７０１は、ＨＥＭＳコントローラ１０が発する信号を電波として放射する。また、アンテナ７０１は、空間から電波を受信して受信信号を無線通信部７０２へ与える。
【００３６】
無線通信部７０２は、ＨＥＭＳコントローラ１０が他の通信機器と無線通信するため、信号を送受信するための変復調処理などを行う通信インタフェースである。
【００３７】
ＨＥＭＳコントローラ１０は、例えば、無線ＬＡＮ（Local  Area  Network）規格、Ｂｌｕｅｔｏｏｔｈ（登録商標）などの近距離無線通信の規格に対応しており、通信規格に従って、家電機器１４〜１７（図１参照）と通信する。ＨＥＭＳコントローラ１０と、家電機器１４〜１７のそれぞれとは、家電機器の遠隔操作をするための規格に対応している。
【００３８】
ＨＥＭＳコントローラ１０は、家電機器１４〜１７のそれぞれと通信することにより、家電機器１４〜１７のそれぞれが動作中であることを示す情報を受信することができる。また、家電機器１４〜１７が動作開始の時刻を予約している場合は、ＨＥＭＳコントローラ１０は、動作を予定している時間帯の情報を家電機器１４〜１７から受信する。また、ＨＥＭＳコントローラ１０は、家電機器１４〜１７と通信することにより、家電機器１４〜１７に対し、少なくとも一部の動作を制限する指示を送信する。家電機器１４〜１７は、ＨＥＭＳコントローラ１０と通信し、ＨＥＭＳコントローラ１０からの指示に従って、機能を停止または実行する。
【００３９】
操作受付部７０３は、例えば入力操作を受け付けるためのボタンなどの操作部材により構成されており、ユーザの入力操作を受け付けて、受け付けた入力操作を制御部７０７へ出力する。
【００４０】
記憶部７０４は、フラッシュメモリ、ＲＡＭ等により構成され、ＨＥＭＳコントローラ１０が使用するプログラム、および、データを記憶する。ある局面において、記憶部７０４は、動作情報７１０と、切替情報７２０と、プログラム７３０とを記憶する。動作情報７１０は、家電機器１４〜１７の動作を示す情報であり、その一例は、図４を参照して後述される。切替情報７２０は、家電機器１４〜１７のそれぞれに対する、交流電力で駆動するか直流電力で駆動するかを指示する情報であり、その一例は、図６を参照して後述される。プログラム７３０は、たとえば制御部７０７によって実行されるプログラムである。
【００４１】
発光部７０５は、ＬＥＤ（Light  Emitting  Diode）などの発光部材を備える。発光部７０５は、制御部７０７の制御に従って発光することで、ＨＥＭＳコントローラ１０の外部に情報を通知する。ＨＥＭＳコントローラ１０は、発光部７０５を発光させることにより、例えば、ＨＥＭＳコントローラ１０が通信中であること、系統に停電が発生していること等を外部へ通知する。
【００４２】
有線通信部７０６は、ＨＥＭＳコントローラ１０が他の通信機器と有線により通信するための変復調処理などを行う通信インタフェースである。有線通信部７０６は、ブロードバンドルータ３００（図１参照）と接続可能である。
【００４３】
制御部７０７は、プロセッサによって構成され、記憶部７０４に記憶される制御プログラムを読み込んで実行することによりＨＥＭＳコントローラ１０の動作を制御する。制御部７０７は、プログラムに従って動作することにより、動作情報登録部７７１、供給元決定部７７２、切替指示送信部７７３、切替情報登録部７７４としての機能を実現する。
【００４４】
動作情報登録部７７１は、家電機器１４〜１７のそれぞれから、家電機器１４〜１７のそれぞれの動作に関する情報を取得し、動作情報として記憶部７０４へ登録する。
【００４５】
供給元決定部７７２は、家電機器１４〜１７のそれぞれの電力の供給元（直流電源１２，１３または交流電源１１）を決定する。たとえば、供給元決定部７７２は、交流電源１１からの交流電力の価格が高い昼間には、直流電源１２，１３を電力の供給元と決定する。また、供給元決定部７７２は、雨の日等の直流電源１２における発電量が少なく、かつ、直流電源１３の電池残量が少ないような場合には、交流電源１１を電力の供給元と決定する。
【００４６】
切替指示送信部７７３は、リレー２３〜２６およびリレー２７〜３０のそれぞれに対して、家電機器１４〜１７のそれぞれの電力の供給元が供給元決定部７７２によって決定されたものとなるように、回路の開閉を指示する。
【００４７】
なお、リレー２３〜２６およびリレー２７〜３０のそれぞれが家電機器１４〜１７のそれぞれに備えられている場合には、切替指示送信部７７３は、家電機器１４〜１７のそれぞれに、電力の供給元の指示を送信する。この指示に応じて、家電機器１４〜１７のそれぞれは、各機器内の（リレー２３〜２６のいずれか、および、リレー２７〜３０のいずれか）を開閉を切り替えて、各機器に対する電力の供給元を調整する。
【００４８】
切替情報登録部７７４は、供給元決定部７７２によって決定された家電機器１４〜１７のそれぞれの電力の供給元を、切替情報として記憶部７０４に登録する。
【００４９】
＜４．動作情報＞
図４は、ＨＥＭＳコントローラ１０の記憶部７０４に格納されている動作情報７１０のデータ構造の一例を示す図である。
【００５０】
図４に示されるように、動作情報７１０内の各々のレコードは、家電機器識別情報７１１と、動作時間７１２と、動作内容７１３と、消費電力７１４とを対応付けたものである。各レコードは、たとえば、家電機器１４〜１７（図１参照）のそれぞれから送信される。家電機器１４〜１７のそれぞれは、動作実行のレコードを、ＨＥＭＳコントローラ１０に送信する。ＨＥＭＳコントローラ１０の動作情報登録部７７１（図３参照）は、当該レコードを受信すると、当該レコードを追加するように動作情報７１０を更新する。
【００５１】
家電機器識別情報７１１は、家電機器１４〜１７のそれぞれを特定する情報である。たとえば、図４中の「12345678（エアコン（１））」は、家電機器１４〜１７の中の１台のエアコンを特定する。
【００５２】
動作時間７１２は、家電機器が動作した時間を示す。たとえば、図４中の「2015/5/5＿17:00:00-19:00:00」は、２０１５年５月５日の１７時００分００秒から１９時００分００秒まで、家電機器が動作したことを示す。
【００５３】
動作内容７１３は、家電機器がどのような動作を実行したかを示す。たとえば、図４中の「冷房（弱）」は、強度「弱」の冷房動作を実行したことを示す。
【００５４】
消費電力７１４は、動作内容７１３によって特定される動作内容の家電機器における消費電力を示す。たとえば、図４において、動作内容「冷房（弱）」に対応して登録されている「１００Ｗ」は、強度「弱」の冷房動作の消費電力が１００Ｗであることを示す。
【００５５】
図５は、家電機器１４〜１７のそれぞれからＨＥＭＳコントローラ１０への動作実行のレコードの送信のシーケンスの一例を模式的に示す図である。図５に示されるように、家電機器１４〜１７のそれぞれは、一定時間（たとえば、１５分）ごとに、ＨＥＭＳコントローラ１０に、「状態通知」を実行する。「状態通知」は、どのような内容の動作を実行したかを示す図である。「状態通知」は、実行中の動作を終了したことを示す情報である場合もある。
【００５６】
ＨＥＭＳコントローラ１０の動作情報登録部７７１（図３参照）は、家電機器１４〜１７のそれぞれから「状態通知」を受信すると、当該情報に基づいて、図４に示された各家電機器についてのレコードを生成する。たとえば、動作情報登録部７７１は、「12345678（エアコン（１））」によって特定される家電機器から、「状態通知」として、２０１５年５月５日の１７時００分００秒から１９時００分００秒まで「冷房（弱）」で特定される動作を実行したこと、および、２０１５年５月５日の１９時００分００秒に当該動作を終了したことを示す情報を受信したことに基づいて、図４に示されたような「12345678（エアコン（１））」についてのレコードを生成する。
【００５７】
＜５．切替情報＞
図６は、ＨＥＭＳコントローラ１０の記憶部７０４に格納されている切替情報７２０のデータ構造の一例を示す図である。
【００５８】
図６に示されるように、切替情報７２０内の各々のレコードは、家電機器識別情報７２１と、時間７２２と、指示内容７２３とを対応付けたものである。
【００５９】
家電機器識別情報７２１は、家電機器１４〜１７のいずれかを特定する。時間７２２は、家電機器識別情報７２１によって特定される家電機器に電力の供給元を指示する情報が出力された時刻を示す。指示内容７２３は、指示された電力の供給元を示す。
【００６０】
たとえば、「ＡＣ→ＤＣ」は、指示された電力の供給元が、直流電源１２または直流電源１３であることを示す。「ＤＣ→ＡＣ」は、指示された電力の供給元が交流電源１１であることを示す。
【００６１】
ＨＥＭＳコントローラ１０の切替指示送信部７７３（図３参照）は、家電機器１４〜１７のそれぞれに対する、動力として利用される電力の供給元を設定する（切り替える）場合、リレー２３〜２６およびリレー３４〜３７の中の対応するリレーに開閉の切替を指示するとともに、家電機器１４〜１７のそれぞれに指示を出す。家電機器１４〜１７のそれぞれは、交流電力で動作する場合には、ＡＣ−ＤＣコンバータ１８〜２１のそれぞれを駆動する。
【００６２】
図７は、ＨＥＭＳコントローラ１０の切替指示送信部７７３（図３参照）から家電機器１４〜１７のそれぞれへの電力供給元の指示の送信のシーケンスの一例を示す図である。図７に示されるように、ＨＥＭＳコントローラ１０（切替指示送信部７７３）は、「切替指示」として、供給元を設定する（切替える）指示を送信する。家電機器１４〜１７は、供給元の設定（切替）の指示を受信すると、ＨＥＭＳコントローラ１０に対して「応答」を送信する。切替情報登録部７７４は、家電機器に「切替指示」を送信したこと、および、対応する家電機器から「応答」を受信したことに基づいて、新しいレコードを生成し、切替情報７２０に追加する。
【００６３】
＜６．家電の構成＞
図８は、家電機器１４のハードウェア構成の一例を概略的に示す図である。図８に示されるように、家電機器１４は、制御部９００と、アンテナ９０１と、無線通信部９０２と、機能実行部９０３と、動作記憶部９０４とを備える。
【００６４】
制御部９００は、たとえばプロセッサであり、家電機器１４内のメモリ（図示略）内のメモリに格納されたプログラムを実行することにより、家電機器１４の動作を制御する。
【００６５】
アンテナ９０１は、ＨＥＭＳコントローラ１０等の他の機器との通信に利用される。
無線通信部９０２は、通信インターフェースの一例である。制御部９００は、無線通信部９０２およびアンテナ９０１を利用して、ネットワーク６００（図１参照）に接続して、ＨＥＭＳコントローラ１０等の他の機器と通信する。なお、家電機器１４は、無線ＬＡＮ規格、Ｂｌｕｅｔｏｏｔｈ（登録商標）などの近距離無線通信の規格に対応している場合もあり得る。当該通信規格に従って、家電機器１４は、ＨＥＭＳコントローラ１０等の他の機器と直接通信する場合もあり得る。
【００６６】
機能実行部９０３は、当該家電機器１４の本来的な機能を実行する。照明器具の場合には、機能実行部９０３は、たとえば、発光素子を点灯させるための機能を実現する要素である。空気調和機であれば、機能実行部９０３は、たとえばコンプレッサおよびその制御回路等の、物品を冷却するための機能を実現する要素である。
【００６７】
動作記憶部９０４は、メモリであり、機能実行部９０３によって実行された動作の内容を格納する。制御部９００は、たとえば機能実行部９０３に新たな内容の動作を開始させるタイミングで、その内容を動作記憶部９０４に格納する。また、制御部９００は、動作記憶部９０４に格納された動作内容を、「状態通知」（図５参照）として、ＨＥＭＳコントローラ１０へ送信する。
【００６８】
家電機器１５〜１７の概略的な構成は、図８に示された家電機器１４の構成と同様とすることができる。
【００６９】
＜７．通信端末の構成＞
図９は、第１の実施の形態の通信端末１００の構成を示すブロック図である。
【００７０】
図９に示されるように、通信端末１００は、アンテナ１０１と、無線通信部１１１と、物理操作キー１３１と、タッチパネル１４１と、ディスプレイ１４２と、電源制御部１４４と、バッテリ１４５と、音声処理部１４６と、マイク１４７と、スピーカ１４８と、記憶部１５０と、制御部１６０とを含む。
【００７１】
アンテナ１０１は、通信端末１００が発する信号を電波として放射する。また、アンテナ１０１は、空間から電波を受信して受信信号を無線通信部１１１へ与える。本実施形態では、通信端末１００は、複数の無線通信規格に対応している。通信方式として、Ｗ−ＣＤＭＡ（Wideband  Code  Division  Multiple  Access）、ＬＴＥ（Long  Term  Evolution）、その他の通信方式がある。また、通信端末１００は、ＩＥＥＥ（Institute  of  Electrical  and  Electronic  Engineers）８０２．１１などの無線ＬＡＮ規格にも対応する。
【００７２】
無線通信部１１１は、通信端末１００が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、通信端末１００が送受信する無線信号の変復調や周波数変換を行い、受信信号を制御部１６０へ与える。
【００７３】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００７４】
記憶部１５０は、例えばフラッシュメモリ等により構成され、通信端末１００が使用するデータおよびプログラムを記憶する。ある局面において、記憶部１５０は、基本プログラム１５１と、アプリケーションプログラム１５２と、データ１５３とを記憶する。基本プログラム１５１は、通信端末１００が通話機能等を実現するために実行されるプログラムである。アプリケーションプログラム１５２は、通信端末１００が付加的な動作を実現するために実行されるプログラムである。付加的な動作は、図２に示されたような家電機器の電力消費に関する情報の表示を含む。データ１５３は、通信端末１００におけるプログラムの実行に利用される種々のデータである。
【００７５】
電源制御部１４４は、通信端末１００の各回路に対する電力の供給を制御する。電源制御部１４４は、例えば電源制御用ＩＣ（Integrated  Circuit）である。バッテリ１４５は、通信端末１００の各回路を動作させるための電力を供給する供給源である。バッテリ１４５からの電力は、電源制御部１４４の制御に従って各回路へ供給される。音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を通信端末１００の外部へ出力する。
【００７６】
制御部１６０は、記憶部１５０に記憶されるプログラムを読み込んで、当該制御プログラムに含まれる命令を実行することにより、通信端末１００の動作を制御する。制御部１６０は、例えばプロセッサである。制御部１６０は、プログラムに従って動作することにより、指示受付部１６１と、表示制御部１６２と、動作情報取得部１６３と、切替情報取得部１６４としての機能を実現する。
【００７７】
指示受付部１６１は、家電機器の電力に関する情報の表示を指示する入力を受け付ける。当該指示は、タッチパネル１４１に対する操作指示であってもよいし、マイク１４７に対する音声入力による指示であってもよいし、特定のアプリケーションプログラムの実行において生成された操作指示であってもよい。
【００７８】
表示制御部１６２は、たとえば、ディスプレイ１４２のドライバプログラムを実行する制御部１６０によって実現され、ディスプレイ１４２の表示動作を制御する。
【００７９】
動作情報取得部１６３は、ＨＥＭＳコントローラ１０から、家電機器１４〜１７のうち電力に関する情報の表示の対象となった機器の、動作情報（図４参照）を取得する。
【００８０】
切替情報取得部１６４は、ＨＥＭＳコントローラ１０から、家電機器１４〜１７のうち電力に関する情報の表示の対象となった機器の、切替情報（図６参照）を取得する。
【００８１】
＜８．表示処理＞
図１０は、通信端末１００において、家電機器１４〜１７における、直流電力の消費の量に関する情報を表示するために実行される処理のフローチャートである。当該処理は、たとえば、通信端末１００にインストールされた電力管理用のアプリケーションによって実現される。
【００８２】
図１０を参照して、ステップＳ１０で、通信端末１００の制御部１６０（図９参照）は、家電機器の消費電力に関する情報の提示を指示する入力を受け付ける。当該指示は、一例では、タッチパネル１４１に対する操作指示によって入力される。他の例では、マイク１４７に対する音声によって入力される。さらに他の例では、特定のアプリケーションプログラムの実行（たとえば、毎月の初日の午前８時に家電機器の電力に関する情報を表示するようなタイマー機能）によって生成された操作指示によって入力される。そして、制御はステップＳ２０へ進められる。
【００８３】
ステップＳ２０で、制御部１６０は、表示対象の家電機器を特定する。そして、制御はステップＳ３０へ進められる。
【００８４】
なお、ステップＳ２０の一例では、制御部１６０は、予め記憶部１５０に格納された、表示対象の家電機器を特定する情報が読み出す。他の例では、制御部１６０は、表示対象の家電機器を特定する指示の入力を受け付ける。指示の入力の一例を、図１１を参照して説明する。
【００８５】
図１１は、電力管理用のアプリケーションによってディスプレイ１４２に表示される画面の一例を示す図である。図１１の画面５００は、電力に関する情報の表示態様の機器を選択するために表示される。
【００８６】
画面５００は、表示対象の家電機器を選択するためのボタン５０１〜５０８を含む。ボタン５０２〜５０８のそれぞれは、電力管理システム１を構成する家電機器のそれぞれ（図１に示された例では、家電機器１４〜１７のそれぞれ）を選択に対応する。ボタン５０１は、電力管理システム１を構成する家電機器のすべてに対応する。制御部１６０は、画面５００内のどのボタンが操作されたかに従って、表示対象の家電機器を特定する。
【００８７】
図１０に戻って、ステップＳ３０で、制御部１６０は、表示対象の期間を特定する。そして、制御は、ステップＳ４０へ進められる。
【００８８】
なお、ステップＳ３０において特定される期間の一例は、１か月である。他の例は、一年である。さらに他の例は、一日である。さらに他の例は、家電の消費電力についてのデータの記録がＨＥＭＳコントローラ１０において開始されてからステップＳ３０が実行されるまでの期間である。
【００８９】
また、ステップＳ３０において、制御部１６０は、たとえば、タッチパネル１４１に対するタッチ操作に応じて、表示対象の期間を特定する。より具体的には、たとえば図１１の画面５００において表示対象の家電機器が特定されると、ディスプレイ１４２には、画面５１０（図２参照）が表示される。画面５１０の入力部５１３には、中央に「２０１３年７月実績」と記載されている。これは、表示対象が２０１３年７月であることを意味する。入力部５１３内の左端にある「前月」ボタンをタッチされると、制御部１６０は、表示対象として、２０１３年７月の前月、つまり２０１３年６月を特定する。入力部５１３内の右端にある「翌月」ボタンをタッチされると、制御部１６０は、表示対象として、２０１３年７月の翌月、つまり２０１３年８月を特定する。
【００９０】
また、ステップＳ３０において、制御部１６０は、たとえば、タッチパネル１４１に対するタッチ操作に応じて、表示対象の期間の長さを特定する。より具体的には、たとえば図２の画面５１０の入力部５１２内の３つのボタン「２４時間」「１か月間」「１年間」のいずれかがタッチされたことにより、制御部１６０は、表示対象の期間の長さとして、各ボタンに記載された期間を特定する。
【００９１】
なお、ステップＳ３０において、制御部１６０は、記憶部１５０に格納されたデータに従って、または、通信端末１００において実行中の他のアプリケーションによって指定された期間に応じて、表示対象の期間の長さを特定する場合もあり得る。
【００９２】
図１０に戻って、ステップＳ４０で、制御部１６０は、対象の家電機器の対象期間における直流電力（ＤＣ電力）の消費量を算出する。そして、制御はステップＳ５０へ進められる。
【００９３】
なお、ステップＳ４０において、対象の家電機器は、ステップＳ２０で特定されている。対象の期間は、ステップＳ３０で特定されている。制御部１６０は、ＨＥＭＳコントローラ１０から、対象機器の動作情報と切替情報とを取得する。そして、制御部１６０は、切替情報に基づいて、対象期間内の直流電力での動作期間を特定する。そして、制御部１６０は、動作情報に基づいて、当該特定された動作期間における動作内容を特定する。そして、制御部１６０は、特定された動作期間に、特定された内容を動作するのに要する電力量を算出する。そして、算出された電力量を、対象の家電機器の対象期間における直流電力の消費量として特定する。ここで、対象期間における消費量は、当該対象期間における一定期間ごとに特定される。たとえば、図２の画面５１０では、１か月の消費量が１日ずつ表示される。このように、所定期間（たとえば、１か月）における消費量は、一定期間（たとえば、１日）ごとに算出される。
【００９４】
図１０に戻って、ステップＳ５０で、制御部１６０は、対象の家電機器の対象期間における交流電力（ＡＣ電力）の消費量を算出する。そして、制御はステップＳ６０へ進められる。
【００９５】
なお、ステップＳ５０において、制御部１６０は、ステップＳ４０において取得した動作情報および切替情報を用いて、表示対象の家電機器についての、表示対象の期間の交流電力の消費量を、一定期間ごとに、算出する。
【００９６】
ステップＳ６０で、制御部１６０は、ステップＳ４０とステップＳ５０のそれぞれで算出された直流電力の消費量を用いて、図２の画面５１０のような、電力の消費の量に関する情報の表示用の画像データを生成する。ここでは、グラフ５１１に示されているように、表示対象の家電機器の直流電力および交流電力のそれぞれの消費量は、表示対象となる所定期間（１か月）について、一定期間（１日）ごとに、表示される。そして、制御はステップＳ７０へ進められる。
【００９７】
なお、ステップＳ６０における表示用の画像データの生成は、図２の画面５１０の「総使用量」および「めやす金額」に相当する数値の算出を含む。「総使用量」は、直流電力と交流電力の消費量の合計値である。「めやす金額」は、直流電力の消費量と、交流電力購入用の予め定られた単価との積である。
【００９８】
ステップＳ７０で、制御部１６０は、ステップＳ６０で生成した画像データをディスプレイに表示して（対象期間の履歴を表示）、図１０の処理を終了させる。
【００９９】
＜９．他の表示画面の例＞
図１２および図１３は、電力の消費の量に関する情報の表示画面の変形例を示す図である。図１２の画面５２０は、所定期間（表示対象の期間）が２４時間である場合に対応している。画面５２０は、グラフ５２１を含む。グラフ５２１では、一定期間（１５分）ごとにグラフの色が特定される。グラフ５２１の縦軸は電力の消費量であり、横軸は時間である。上記一定期間は、家電機器１４〜１７のそれぞれがＨＥＭＳコントローラ１０に「状態通知」（図５参照）を送信する時間間隔と同じまたは当該時間間隔に多少の余裕が加えられた時間とされてもよい。
【０１００】
図１２では、グラフの色が、ハッチングの種類によって表現されている。各１５分の期間は、それぞれ、当該１５分間において一定期間（たとえば５分）以上直流電力が使用されている場合には、その１５分間すべてが直流電力を使用しているように、示される。つまり、図１２のグラフ５２１は、直流電力の消費をデフォルメして表示する。
【０１０１】
図１３の画面５３０は、所定期間が（表示対象の期間）が１か月である場合に対応している。画面５３０は、グラフ５３１を含む。グラフ５３１は、一定期間（１か月）ごとの消費量を示す複数の棒を含む。各棒では、一定期間内の直流電力の消費量と交流電力の消費量とが、互いに異なる態様（ハッチングの種類）で示されている。
【０１０２】
＜１０．実施の形態のまとめ＞
以上説明された第１の実施の形態では、家電機器１４〜１７によって、交流電力と直流電力との間で駆動するための電力を切り替えて動作する負荷機器が構成される。そして、通信端末１００は、主に図１０を参照して説明されたように、家電機器１４〜１７のうち表示対象として指定された家電機器について、直流電力の消費の量に関する情報についての、表示用の画像データ（表示情報）を生成する。
【０１０３】
上記の表示の対象となる期間の長さは、複数の種類の中から指定され得る。第１の実施の形態では、たとえば、１年、１か月、および、１日の３種類の中から指定され得る。なお、ここに示されたような３種類の期間は、単なる例示である。また、通信端末１００は、ユーザから、表示対象の期間として、任意の長さを指定する情報を受け付けてもよい。
【０１０４】
第１の実施の形態では、通信端末１００は、「１か月」を表示対象とする場合もあれば（図２参照）、「１日」を表示対象とする場合もある（図１２参照）。そして、通信端末１００は、「１日」を表示対象とした場合、１５分ごとの消費量を表示する。各１５分の期間は、それぞれ、当該１５分間において一定期間（たとえば５分）以上直流電力が使用されている場合には、その１５分間すべてが直流電力を使用しているように、示される。
【０１０５】
なお、１５分間ごとの表示は、当該１５分間における電力の消費量のうち直流電力の消費量が一定の割合（たとえば、３０％）以上を占める場合には、１５分間の消費電力量のすべてが直流電力の消費電力量であることを示すものであってもよい。つまり、１５分間ごとの表示は、消費された電力の種類をデフォルメするものであってもよい。
【０１０６】
表示対象の期間が「１か月」である場合（図２）の表示用の画像データは、１日ごとの消費量を示すデータ（グラフ５１１中の各日の消費量を表わす棒）を含む。この意味において、グラフ５１１中の各日の消費量を表わす棒を表示するためのデータが、「第１の表示情報」の一例である。各日の消費量は、当該日の直流電力の消費量と、当該日の交流電力の消費量とを示す。
【０１０７】
表示対象の期間が「１日」である場合（図１２）の表示用の画像データは、表示対象の１日が１５分ごとに分割された場合の、１５分ごとの電力の消費量を示すデータを含む。この意味において、グラフ５２１のデータは、「第２の表示情報」の一例である。
【０１０８】
＜１１．実施の形態の効果＞
以上説明された第１の実施の形態の電力管理システム１において、直流電源１２，１３から供給される直流電力を消費することは、ユーザにおいて、商用の交流電源１１から供給される直流電力を消費することに対し、以下の利点をもたらすと言える。
【０１０９】
つまり、家電機器に直流電力を供給する直流電源１２は、ユーザに、商用の交流電源１１から購入される電力の代わりに、太陽エネルギから変換された電力を提供する。これにより、直流電源１２から供給される電力を使用すれば、ユーザに、電力会社に電力の使用料を支払う必要がない。
【０１１０】
また、直流電源１３は、直流電源１２から供給される電力、および、商用の交流電源１１から夜間等に安価で供給された電力を、蓄積する。これにより、直流電源１３から供給される電力を使用すれば、ユーザに、電力会社に支払う電力の使用料を低減できる。
【０１１１】
さらに、直流電源１２，１３から供給される直流電力を交流電力に変換することなく、機器を直流電力で動作させることで、電力の利用効率を高めることができる。交流電力で機器を動作させる場合、直流電源１２，１３から供給される直流電力を交流電力に変換して使用することになり、直流電力から交流電力への電力変換による損失が生じる。直流電源１２，１３から供給される直流電力を交流電力に変換することなく、直流電力のまま機器を動作させれば、変換による損失がないため、電力の消費量を低減できる。したがって、機器を直流電力で動作させることは消費電力の低減の効果があり、その消費電力量を表示することで、消費電力の低減効果を容易に理解することができる。言い換えれば、交流電力に代えて直流電力を消費することは、電力の利用効率が高く、消費電力が低減されることになる。そのため、直流電力が消費されていることを表示することで、消費電力の低減効果が得られていることが理解できる。
【０１１２】
そして、第１の実施の形態において、通信端末１００は、家電機器を含む電力管理システムの電力管理アプリケーションの実行によって、図２の画面５１０等の画面を表示する。図２の画面５１０のグラフ５１１等において、家電機器の、直流電源１２，１３から供給される直流電力の消費の量に関する情報が表示される。これにより、ユーザは、直流電源１２，１３から供給される直流電力の消費の量に関する情報を取得し、これにより、交流電力の消費量の低減の効果を容易に理解することができる。
【０１１３】
［第２の実施の形態］
第２の実施の形態の電力管理システム１のハードウェア構成は、第１の実施の形態のものと同じとすることができる。なお、第２の実施の形態の電力管理システム１において、通信端末１００は、第１の実施の形態と比較して、図１０のステップＳ５０の制御を省略する。つまり、第２の実施の形態では、表示対象となった家電機器についての直流電力の消費の量に関する情報のみが表示される。
【０１１４】
図１４は、第２の実施の形態における家電機器についての電力の消費量のついての表示の一例を示す図である。図１４の画面５１０Ａは、図２の画面５１０の変形例に相当する。図１４の画面５１０Ａには、グラフ５１１Ａが表示されている。グラフ５１１Ａは、対象となった期間における、家電機器の直流電力のみの消費量を示す。
【０１１５】
［第３の実施の形態］
第３の実施の形態の電力管理システム１のハードウェア構成は、第１の実施の形態のものと同じとすることができる。ただし、第３の実施の形態では、通信端末１００は、直流電力の消費量についての目標値の入力を受け付ける。そして、通信端末１００は、図２等に示されたような家電機器の消費電力に関する情報の表示において、直流電力の消費量が上記目標値を達成できたか否か、つまり、当該消費量が目標値以上となったか否かを、表示する。
【０１１６】
図１５は、第３の実施の形態の電力管理システム１における通信端末１００の構成を示すブロック図である。図１５に示されるように、第３の実施の形態の通信端末１００は、第１の実施の形態の通信端末１００（図９参照）と比較して、記憶部１５０に目標値１５４を格納する。目標値１５４は、たとえば、家電機器１４〜１７（図１参照）の中の特定の家電機器についての、または、電力管理システム１の家電機器すべてについての、１か月間の直流電力の消費量の目標値である。ユーザは、たとえばタッチパネル１４１を操作することにより、目標値を入力する。これに応じて、指示受付部１６１は、入力された目標値を記憶部１５０に格納する。
【０１１７】
図１６は、第３の実施の形態の通信端末１００における、家電機器の消費電力に関する情報の表示の一例を示す図である。図１６の画面５１０Ｂは、図２の画面５１０の変形例に相当する。図１６の画面５１０Ｂは、グラフ５１１とともに、アイコン５１５と、メッセージ５１６とを表示する。画面５１０Ｂは、目標値が達成できた場合に表示される。このことから、メッセージ５１６は、目標値が達成できたことを示す文字列（「月間目標を達成したよ！」）を含む。また、アイコン５１５は、目標値の達成を喜ぶ画像を含む。
【０１１８】
なお、目標値が達成できなかった場合には、ディスプレイ１４２には、画面５１０Ｂとは異なる画面が表示される。当該画面には、メッセージ５１６の代わりに、目標値が達成できなかったことを示し、そして、次の期間（たとえば、翌月）目標値が達成できるように励ますための、メッセージが表示される。
【０１１９】
図１７は、第３の実施の形態の通信端末１００において実行される処理のフローチャートである。図１７の処理は、第１の実施の形態における図１０の処理の変形例に相当する。より具体的には、図１７の処理は、ステップＳ５０の次に設けられた、ステップＳ５２を含む。第３の実施の形態では、ステップＳ５０の後、制御は、ステップＳ５２へ進められる。
【０１２０】
ステップＳ５２では、制御部１６０は、表示対象の期間における表示対象の家電機器の直流電力の消費量（ステップＳ３０において算出）が記憶部１５０に格納された目標値１５４以上であるか否かを判断することにより、目標値が達成されているか否かを判定する。その後、制御はステップＳ６０へ進められる。
【０１２１】
ステップＳ６０では、制御部１６０は、第１の実施の形態と同様に、表示用の画像データを生成する。第３の実施の形態において生成される画像データは、図１６のアイコン５１５およびメッセージ５１６等の、目標値の達成の有無の判断結果を表示するためのデータを含む。
【０１２２】
なお、本明細書における「目標値」の入力は、ユーザによる操作以外の態様で、たとえば、他のアプリケーションの実行結果の出力によって、生成され、記憶部１５０に格納される場合もあり得る。制御部１６０は、たとえば他のアプリケーションの実行の結果として、家電機器による直流電力の消費量の目標値を算出した場合には、当該目標値を記憶部１５０に格納する場合があり得る。
【０１２３】
他の例では、目標値は、図２の画面５１０に関連して言及された「めやす金額」であってもよい。制御部１６０は、目標値として登録されている「めやす金額」を、交流電力購入用の予め定められた単価で割ることにより、「めやす金額」の目標値を直流電力の消費量の目標値へと変換できる。
【０１２４】
さらに他の例では、目標値は、交流電力の消費量についての目標値であってもよい。この場合には、交流電力の消費量が目標値以下となった場合に、目標値が達成されたと判断される。これにより、直流電力の消費量の増加により交流電力の消費量が減少したことが、ユーザに報知され得る。
【０１２５】
［第４の実施の形態］
第４の実施の形態の電力管理システム１のハードウェア構成は、第３の実施の形態のものと同じとすることができる。また、第４の実施の形態では、通信端末１００の制御部１６０は、さらに、記憶部１５０に格納された目標値を変更する情報の入力を受け付ける。
【０１２６】
第４の実施の形態では、家電機器の直流電力の消費量についての目標値は、記憶部１５０に格納された時刻（または、入力された時刻）に関連付けて、記憶部１５０に格納される。そして、第４の実施の形態では、制御部１６０は、第３の実施の形態と同様に、表示対象の期間における直流電力の消費量が目標値以上であるか否かを判定する。なお、第４の実施の形態では、当該判定に利用される目標値は、表示対象の期間の満了前の時刻に関連付けられて格納されている目標値である。表示対象の期間の満了後に登録された目標値は用いられない。
【０１２７】
つまり、たとえば、１か月の直流電力の消費の情報が表示される場合であって、表示対象の期間が当該月の途中で変更されている場合、当該月の表示用の画像データは、当該変更前の目標値に基づいて生成される。より具体的には、７月の電力の消費の情報が表示される場合であって、７月１５日に目標値が変更された場合には、７月の電力消費において目標値が達成されたか否かは、変更前の目標値に基づいて判定される。
【０１２８】
［第５の実施の形態］
第５の実施の形態の電力管理システム１では、図２の画面５１０等の、家電機器の電力消費についての表示用の画像データは、ＨＥＭＳコントローラ１０において生成される。つまり、第５の実施の形態では、ＨＥＭＳコントローラ１０が電力情報管理装置の一例である。通信端末１００は、電力消費の表示の指示を受けると、ＨＥＭＳコントローラ１０に、表示用の画像データの生成をリクエストする。
【０１２９】
図１８は、第５の実施の形態において通信端末１００で実行される処理のフローチャートである。
【０１３０】
図１８に示されるように、制御部１６０は、家電機器の消費電力に関する情報の提示を指示する入力を受け付け（ステップＳ１０）、表示対象の家電機器を特定し（ステップＳ２０）、表示対象の期間を特定する（ステップＳ３０）。その後、制御はステップＳ３２へ進められる。
【０１３１】
ステップＳ３２で、制御部１６０は、ＨＥＭＳコントローラ１０へ、表示用の画像データの生成をリクエストする。制御部１６０は、当該リクエストとともに、ＨＥＭＳコントローラ１０へ、ステップＳ２０で特定された家電機器の情報と、ステップＳ３０で特定された期間を示す情報とを送信する。
【０１３２】
ＨＥＭＳコントローラ１０は、当該リクエストに応じて、後述するように表示用の画像データを生成して、通信端末１００へ送信する。これに応じて、制御部１６０は、ステップＳ３４で、当該表示用の画像データを受信する。そして、制御部１６０は、ステップＳ７０で、当該受信した画像データを表示する（対象期間の履歴を表示）。
【０１３３】
図１９は、第５の実施の形態のＨＥＭＳコントローラ１０の構成を示すブロック図である。図１９のブロック図は、図３のブロック図の変形例に相当する。図３と比較して、図１９に示されるように、ＨＥＭＳコントローラ１０の制御部７０７は、さらに表示情報生成部７７５としての機能を実現する。
【０１３４】
図２０は、第５の実施の形態のＨＥＭＳコントローラ１０の制御部７０７が実行する処理のフローチャートである。
【０１３５】
図２０を参照して、ステップＳ１００で、制御部７０７は、通信端末１００からの画像データの生成のリクエスト（図１８のステップＳ３２）を受け付ける。そして、制御はステップＳ１１０へ進められる。
【０１３６】
ステップＳ１１０で、制御部７０７は、ステップＳ４０（図１０参照）と同様に、表示対象の家電機器の対象期間における直流電力（ＤＣ電力）の消費量を算出する。そして、制御はステップＳ１２０へ進められる。
【０１３７】
ステップＳ１２０で、制御部７０７は、ステップＳ５０（図１０参照）と同様に、表示対象の家電機器の対象期間における交流電力（ＡＣ電力）の消費量を算出する。そして、制御はステップＳ１３０へ進められる。
【０１３８】
ステップＳ１３０で、制御部７０７は、ステップＳ６０（図１０参照）と同様に、表示用の画像データを生成する。そして、制御はステップＳ１４０で進められる。
【０１３９】
ステップＳ１４０で、制御部７０７は、ステップＳ１３０で生成された画像データを通信端末１００へ送信する。通信端末１００の制御部１６０は、当該画像データを、ステップＳ３４（図１８参照）で受信する。
【０１４０】
以上説明された第５の実施の形態では、通信端末１００は、消費電力についての情報の表示を指示された場合であっても、画像データを生成する必要はない。当該画像データは、ＨＥＭＳコントローラ１０で生成される。これにより、通信端末１００の制御部１６０を構成するプロセッサの処理負担が軽減される。
【０１４１】
［第６の実施の形態］
第６の実施の形態として、電力管理システム１における動作情報および切替情報の管理態様の変形例が示される。第１の実施の形態において動作情報と切替情報とが個別に管理されていたのに対し、第６の実施の形態では、動作情報と切替情報に相当する情報が「電力消費情報」として管理される。
【０１４２】
＜１．電力消費情報の具体例＞
図２１は、電力消費情報の内容の一例を模式的に示す図である。
【０１４３】
図２１に示されるように、電力消費情報１０００内の各々のレコードは、家電機器識別情報１００１と、通知時刻１００２と、ＡＣ積算電力消費量１００３と、ＤＣ積算電力消費量１００４と、ＤＣ積算時間１００５とを含む。
【０１４４】
家電機器識別情報１００１は、各家電機器を特定する情報である。
通知時刻１００２は、各家電機器から「状態通知」（図５参照）を受けた時刻を示す。つまり、ＨＥＭＳコントローラ１０は、電力消費情報１０００内の各レコードを、たとえば、図５を参照して説明された、家電機器１４〜１７のそれぞれからの「状態通知」において取得する。そして、通知時刻１００２は、「状態通知」を当該「状態通知」を受けた時刻である。
【０１４５】
ＡＣ積算電力消費量１００３は、「状態通知」を送信する家電機器における、交流電力の消費量の積算値である。家電機器のそれぞれは、当該家電機器における交流電力の消費量の積算値を記録し、当該積算値をＡＣ積算電力消費量としてＨＥＭＳコントローラ１０へ送信する。
【０１４６】
ＤＣ積算電力消費量１００４は、「状態通知」を送信する家電機器における、直流電力の消費量の積算値である。家電機器のそれぞれは、当該家電機器における直流電力の消費量の積算値を記録し、当該積算値をＤＣ積算電力消費量としてＨＥＭＳコントローラ１０へ送信する。
【０１４７】
ＤＣ積算時間１００５は、「状態通知」を送信する家電機器における、直流電力を消費した時間の積算値である。家電機器のそれぞれは、当該家電機器が直流電力で駆動した時間の積算値を記録し、当該積算値をＤＣ積算時間としてＨＥＭＳコントローラ１０へ送信する。
【０１４８】
＜２．ＨＥＭＳコントローラの構成＞
図２２は、第６の実施の形態のＨＥＭＳコントローラ１０の構成を示す図である。
【０１４９】
図２２に示されたＨＥＭＳコントローラ１０は、図３に示された第１の実施の形態のＨＥＭＳコントローラ１０と比較して、記憶部７０４に格納される情報が異なる。具体的には、第６の実施の形態では、記憶部７０４は、図３の動作情報７１０および切替情報７２０を格納する代わりに、電力消費情報１０００（図２１参照）を格納する。
【０１５０】
＜３．通信機器の具体例＞
図２３は、第６の実施の形態の通信端末１００の構成を示すブロック図である。
【０１５１】
図２３に示された通信端末１００は、図９に示された第１の実施の形態の通信端末１００と比較して、制御部１６０の機能が異なる。より具体的には、第６の実施の形態の制御部１００の制御部１６０は、動作情報取得部１６３および切替情報取得部１６４としての機能の代わりに、情報取得部１６３Ａとしての機能を実現する。
【０１５２】
情報取得部１６３Ａは、通信端末１００にインストールされた電力管理用のアプリケーションによって実現される。そして、情報取得部１６３Ａは、たとえば、直流電力の消費の量に関する情報の表示対象の家電機器の情報を、ＨＥＭＳコントローラ１０から取得する。
【０１５３】
より具体的には、情報取得部１６３Ａは、電力消費情報（図２１参照）から、表示対象の家電機器の、表示対象の期間のレコードを取得する。そして、情報取得部１６３Ａは、当該家電機器の直流電力について、表示対象の期間の終了時点の消費量の積算値と、当該期間の開始時点の消費量の積算値との差分を算出することにより、表示対象の期間における直流電力の消費量を算出する。
【０１５４】
たとえば、図２１に示された電力消費情報に基づくと、「エアコン（１）」で特定される家電機器の、２０１５年５月５日の１３時００分から１３時１５分の１５分間の直流電力の消費量は、次の式（１）から、１０００Ｗｈと算出される。
【０１５５】
４３０００（Ｗｈ）−４２０００（Ｗｈ）＝１０００（Ｗｈ）  …（１）
式（１）において、「４３０００（Ｗｈ）」は、「エアコン（１）」の２０１５年５月５日の１３時１５分のＤＣ積算電力消費量である。「４２０００（Ｗｈ）」は、「エアコン（１）」の２０１５年５月５日の１３時００分のＤＣ積算電力消費量である。
【０１５６】
［第７の実施の形態］
第７の実施の形態の電力管理システムは、複数の家電機器を含む。当該複数の家電機器には、交流電力を動力源とする家電機器と直流電力を動力源とする家電機器が含まれる。当該複数の家電機器は、交流電力のみを駆動源とするもの、直流電力のみを駆動源とするもの、および、交流電力と直流電力のいずれも駆動源とするものを含み得る。つまり、第７の実施の形態の電力管理システムは、交流電力および直流電力よって動作する、複数の家電機器を含む。
【０１５７】
第７の実施の形態において、電力情報管理装置は、当該複数の家電機器について、直流電力の消費量を特定する情報と交流電力の消費量を特定する情報とを取得する。そして、電力情報管理装置によって生成される表示情報は、当該複数の家電機器について、直流電力の消費量をまとめて示し、また、交流電力の消費量をまとめて示す。なお、第７の実施の形態では、複数の家電機器について、直流電力の消費量は、交流電力の消費量とは異なる態様で、表示される。
【０１５８】
今回開示された実施の形態およびその変形例はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【０１５９】
以上説明された各実施の形態において実行されるプログラムは、ＨＥＭＳコントローラ１０や通信端末１００等のハードウェア資源に固定された記憶装置に格納されていてもよいし、当該ハードウェア資源に対して着脱可能な記録媒体に格納されていてもよい。また、ネットワークを介して、当該ハードウェア資源にダウンロードされることによって、または、ネットワーク上のサーバ等の記憶装置に格納された状態で、各ハードウェア資源に設けられたプロセッサによって実行され得る。
【符号の説明】
【０１６０】
１０  ＨＥＭＳコントローラ、１１  交流電源、１２，１３  直流電源、１４〜１７  家電機器、１００  通信端末、１６０，７０７，９００  制御部。
【図１】
2017038356.tif 000003
【図２】
2017038356.tif 000004
【図３】
2017038356.tif 000005
【図４】
2017038356.tif 000006
【図５】
2017038356.tif 000007
【図６】
2017038356.tif 000008
【図７】
2017038356.tif 000009
【図８】
2017038356.tif 000010
【図９】
2017038356.tif 000011
【図１０】
2017038356.tif 000012
【図１１】
2017038356.tif 000013
【図１２】
2017038356.tif 000014
【図１３】
2017038356.tif 000015
【図１４】
2017038356.tif 000016
【図１５】
2017038356.tif 000017
【図１６】
2017038356.tif 000018
【図１７】
2017038356.tif 000019
【図１８】
2017038356.tif 000020
【図１９】
2017038356.tif 000021
【図２０】
2017038356.tif 000022
【図２１】
2017038356.tif 000023
【図２２】
2017038356.tif 000024
【図２３】
2017038356.tif 000025
【国際調査報告】
2017038356.tif 000026
2017038356.tif 000027
2017038356.tif 000028
2017038356.tif 000029